(57)【特許請求の範囲】
【請求項１】
原子炉の圧力容器の底の下方空間にメッセンジャーワイヤ６を張架し、そのメッセンジャーワイヤ６に複数の炉心内計装用の案内管５を支持するための支持金具７において、
前記支持金具７は、上下に離間した一対の平行なメッセンジャーワイヤ６に固定部１０で固定されて、その長手方向が重力方向に平行に配置され、
その固定部１０から延長する細長い支持部１１を有し、
その支持部１１の両側であって且つ、前記一対のメッセンジャーワイヤ６の張設方向に直交する方向の端面に、それぞれ案内管５を収容して支持する複数の支持溝１５が上下方向に互いに離間して配列され、
さらに、それら支持溝１５の開放側をアジャストファスナー３０により開閉自在に押える押え板１７を備えていることを特徴とする炉心内計装用の案内管支持金具。
【請求項２】
請求項１において、前記支持部１１の両側にそれぞれ４本づつ支持溝１５が配列されていることを特徴とする炉心内計装用の案内管支持金具。
【請求項３】
請求項１または請求項２において、前記固定部１０はメッセンジャーワイヤ６の挿通部２３と、該挿通部２３に挿通した状態のメッセンジャーワイヤ６を固定する固定部材２４を備えていることを特徴とする炉心内計装用の案内管支持金具。
【発明の詳細な説明】
【０００１】
【発明の属する技術分野】
本発明は、原子炉の圧力容器の底の下方の空間（ペデスタル）にメッセンジャーワイヤを張架し、そのメッセンジャーワイヤに複数の炉心内計装用の案内管を支持するための支持金具に関する。
【０００２】
【従来の技術】
沸騰水原子炉（ＢＲＷ型原子炉）の圧力容器は、円筒型の圧力容器を支える構築物２ａに設置され、その圧力容器の下方には図８に示すペデスタル２と呼ばれる空間が存在し、その内周面に沿って平面円形に曲折してレールが敷設され、そのレールに円形のプラットホーム１８が回動自在に支持されている。そのプラットホーム１８には制御棒駆動機構の図示しない脱着機が取付られると共に、両側には作業の安全のための手摺り１９が立設されている。
ペデスタル２には炉心内に中性子を計測する検出器を導くための案内管５が多数配置され、その案内管５は炉心の底部からペデスタル内に導かれ、そこから所定の湾曲部を介して水平に延長して圧力容器を支える構築物２ａの側壁を貫通し装置などに接続される。
【０００３】
図４は炉心の圧力容器下方のペデスタル内に配置された多数の案内管５を示す平面図である。図示しない圧力容器の周囲には、それと同軸的に圧力容器を支える構築物２ａが配置されている。ペデスタル内には等間隔で多数の案内管支持金具７が平面的に分散して配置され、それらの案内管支持金具７を支持するために、壁面３の対向する内壁間に多数のメッセンジャーワイヤ６が平行に張架される。
【０００４】
図５は図４のＡ−Ａ側断面図、図６は図５のＢ部分の拡大図、図７は図６の VII− VII矢視図である。これらの図において、圧力容器を支える構築物２ａの対向する壁面３にメッセンジャーワイヤ６が上下に一対となるように張架され、圧力容器内に配置された計装設備４の案内管５が圧力容器の底部に設けた貫通部からペデスタル２内に延長する。これらの案内管５はそれぞれ複数の支持金具７を介してメッセンジャーワイヤ６に支持されて水平方向に導かれてから側壁に設けた貫通部を貫通する。
【０００５】
図６に示すように、連結部材８が壁面３に溶接等により固定され、その連結部材８にワイヤー端部金具９が着脱自在に連結もしくは掛止めされる。そしてメッセンジャーワイヤ６の両端部がそれぞれワイヤー端部金具９に固定される。
図６および図７に示すように、支持金具７はメッセンジャーワイヤ６への固定部１０と、その固定部１０に複数の蝶ねじ１２で着脱自在に固定される細長い支持部１１を有する。固定部１０には２本のパイプにより形成される貫通部１３が固定され、その貫通部１３にメッセンジャーワイヤ６を螺着締結する固定部材１４が設けられる。
【０００６】
一方、支持部１１には長手方向に沿って１列に等間隔で配列した複数本（この例では５本の）支持溝１５と、それら支持溝１５の表面側を蝶ねじ１６により押えて開閉自在に閉鎖する押え板１７が設けられる。
メッセンジャーワイヤ６はワイヤー端部金具９で上下方向に折り返すことにより２本単位とされる。２本のメッセンジャーワイヤ６には複数の支持金具７がその貫通部１３を利用して連結される。支持金具７の夫々の支持溝１５には一本づつの案内管５が挿通され、その表面側から押し当てた押え板１７が蝶ねじ１６で支持部１１に固定され、それによって案内管５が支持金具７に固定される。
【０００７】
図８は炉心の下部を支持する圧力容器を支える構築物２ａ回りの側面図である。圧力容器を支える構築物２ａは基礎スラブに設置されたプラットフォーム１８と、そのプラットフォーム１８の上部に設けた安全用の手摺１９を備えている。複数の案内管５は炉心から圧力容器を支える構築物２ａの空間に垂直に下降し、次いで水平方向に方向転換して延長する。一対のメッセンジャーワイヤ６に支持される案内管５の本数が少ない場合には、容易に水平方向に方向転換できる。しかし案内管５の本数が多くなると溝部１５の数を増加する必要から支持部１１の長さが上下方向に長くなり、案内管５の転換位置がより下方側へ大きく移動する。
【０００８】
【発明が解決しようとする課題】
案内管５の転換位置が下方側へ大きく移動するとプラットフォーム１８の上部に設けた手摺１９と干渉するので、その移動距離には限界がある。特に改良型沸騰水原子炉（ＡＢＷＲ）の場合は一対のメッセンジャーワイヤ６に支持される案内管５の数が最大８本存在するので、ペデスタル２の空間における水平方向への転換操作が困難であり、その問題の解決が強く望まれていた。
【０００９】
また、図４に示すように、１つの圧力容器に対して案内管５は多数本存在し、且つそれぞれを多数個所でメッセンジャーワイヤ６に支持させなければならない。しかし各支持金具７への多数の案内管５の支持は複数の蝶ねじを操作して行う必要があるので、それらの支持に多大の工数と時間を必要としていた。
【００１０】
さらに、図７に示すように、従来の支持金具７は固定部１０の片側に支持部１１が連結され、その支持部１１に複数の案内管５が支持されているので、案内管５の重量が固定部１０を回転させるモーメントとして作用し、それによってメッセンジャーワイヤ６に常に回転力が伝達されていた。
そこで本発明はこのような問題を解決することを課題とし、そのための新しい支持金具を提供することを目的とする。
【００１１】
【課題を解決するための手段】
上記課題を解決する本発明は、原子炉の圧力容器の底の下方空間にメッセンジャーワイヤ６を張架し、そのメッセンジャーワイヤ６に複数の炉心内計装用の案内管５を支持するための支持金具７において、
前記支持金具７は、上下に離間した一対の平行なメッセンジャーワイヤ６に固定部１０で固定されて、その長手方向が重力方向に平行に配置され、
その固定部１０から延長する細長い支持部１１を有し、その支持部１１の両側であって且つ、前記一対のメッセンジャーワイヤ６の張設方向に直交する方向の端面に、それぞれ案内管５を収容して支持する複数の支持溝１５が上下方向に互いに離間して配列され、
さらに、それら支持溝１５の開放側をアジャストファスナー３０により開閉自在に押える押え板１７を備えていることを特徴とする炉心内計装用の案内管支持金具である（請求項１）。
【００１２】
上記支持金具において、前記支持部の両側にそれぞれ４本ずつ支持溝を配列することができる（請求項２）。
【００１３】
上記いずれかの支持金具において、前記固定部はメッセンジャーワイヤの挿通部と、前記挿通部に挿通した状態のメッセンジャーワイヤを固定する固定部材を備えることができる（請求項３）。
【００１４】
【発明の実施の形態】
次に本発明の実施の形態を図面により説明する。図１は本発明に係る支持金具をメッセンジャーワイヤに支持した状態を示す正面図、図２は図１の側面図、図３は図１の固定部の拡大図である。
これらの図において、金属製の支持金具７はメッセンジャーワイヤ６への固定部１０と、その固定部１０から下方に延長する細長い支持部１１を有する。固定部１０は板状の本体２０と、本体２０に溶接等により上下に離間して平行に取り付けられた２本の金属パイプ２１と、本体２０の端部から下方に延長する板状の連結部２２を備え、その連結部２２に支持部１１が固定されている。そして金属パイプ２１の内部はメッセンジャーワイヤ６が挿通する挿通部２３とされる。
【００１５】
各金属パイプ２１の一方の端部にメッセンジャーワイヤ６を固定するための固定部材２４が設けられる。この固定部材２４は、図３に示すように、金属パイプ２１に溶接等により固定された固定管２５、その固定管２５に挿入される筒状のコマ２６、および固定管２５に設けた外ねじに螺着する筒状の押さえ金具２７により構成される。そしてコマ２６と押さえ金具２７を予め挿通したメッセンジャーワイヤ６の端部を固定管２５から金属パイプ２１に挿通し、コマ２６を固定管２５に挿入してから押さえ金具２７を固定管２５に螺着することによって固定部１０がメッセンジャーワイヤ６に固定される。なお図３の上側は固定前の状態を示し、下側は固定後のそれを示している。
【００１６】
支持部１１には、連結部２２の両側に図１，図２に示す如く、細長い一対のブロック状の支持体２８が背中合わせで溶接等により固定され、各支持体２８の長手方向に沿って一定間隔で複数本（この例では４本）の支持溝１５が互いに平行に配列される。各支持溝１５は支持体２８の幅方向（図１の左右方向）に欠切されて、案内管５をその開口側から挿入できるようにその側面が開放されている。そしてこの例では一対の支持体２８にそれぞれ４本ずつ支持溝１５が設けられているので、支持金具７には合計８本の案内管５を支持することができる。
【００１７】
案内管５を各支持溝１５に安定して支持させるために、各支持体２８に対してそれぞれアジャストファスナー３０の操作により開閉自在とされた一対の押え板１７が用意される。この押え板１７はその下端がピン１７ａにより支持体２８に軸支されている。
さらに、アジャストファスナー３０は連結部２２の上端部に突設された一対の掛合部３１を有し、その掛合部３１の先端はフック溝状に形成されている。また、押え板１７の外表面に固定した軸支部３２にＵ字状の操作レバー３３が軸支され、操作レバー３３の中間部にアーム３４が軸支され、その先端に掛合環３５が設けられている。そして、操作レバー３３を保持して、押え板１７をピン１７ａの回りに回動し、次いでその操作レバー３３を軸支部３２の回りに回動することにより、その掛合環３５を掛合部３１に係止して図１、図２の如く、支持溝１５の開口側を閉塞することができる。
【００１８】
【作用】
次に、上記案内管支持金具７を用いて案内管５をメッセンジャーワイヤ６に支持させる手順を説明する。先ず、前述のように、メッセンジャーワイヤ６の所定位置に支持金具７の固定部１０を固定する。次に各案内管５を支持体２８の支持溝１５に側面からそれぞれ挿入し仮支持させた後、アジャストファスナー３０を操作することにより支持体２８の両側面を押え板１７で押え、案内管５を支持金具７に完全に支持させる。
【００１９】
押え板１７で支持体２８の側面を押えるには、先ず押え板１７を支持体２８の側面に押し当て、次に操作レバー３３を図２の上方に回転して掛合環３５を掛合部３１に掛合させた後、さらにその操作レバー３３を図２の下方に戻すことにより、押え板１７は支持体２８の側面を安定に押えた状態になる。このようにして支持体２８の両側面をそれぞれの押え板１７で押えることができる。
一方、支持体２８の側面から押え板１７を離脱するには、操作レバー３３を図２の上方に回転して掛合環３５を掛合部３１から外し、そのまま押え板１７を横方向に離脱すればよい。
【００２０】
【発明の効果】
以上のように本発明に係る案内管支持金具は、メッセンジャーワイヤへの固定部と、その固定部から延長する細長い支持部を有し、前記支持部の両側にそれぞれ案内管を収容して支持する複数の支持溝が長手方向に沿って配列され、さらに、それら支持溝の表面側をアジャストファスナーにより開閉自在に押える押え板を備えていることを特徴とする。
上記のように、支持部の両側にそれぞれ案内管を支持する複数の支持溝を長手方向に沿って配列したので、支持部の長さを従来の半分にすることができる。そのため支持金具当たりの案内管の数が多い場合であっても、高さに制限がある構築物の空間内に余裕を持って案内管を支持して延長することができる。
【００２１】
また、アジャストファスナーの操作により押え板をワンタッチで支持部側面に接離できるので、多数本の案内管をそれぞれ多数の支持金具に支持操作し、または取り外し操作をすることが極めて容易になる。そのため案内管の敷設または点検作業等の工数が減少し作業時間も大幅に短縮される
さらに、支持部の両側に案内管を支持するようにしたので、従来のように案内管の荷重偏在により固定部およびメッセンジャーワイヤ６にかかる応力の低減がはかれる。
【図面の簡単な説明】
【図１】本発明に係る支持金具をメッセンジャーワイヤに支持した状態を示す正面図。
【図２】図１の側面図。
【図３】図１の固定部の拡大図。
【図４】炉心内に配置された多数の案内管支持金具及び案内管を示す平面図。
【図５】図４のＡ−Ａ側断面図。
【図６】図５のＢ部分の拡大図であって、従来型の支持金具を示す。
【図７】図６の VII−VII 矢視図。
【図８】炉心（圧力容器）の下方のペデスタル内の案内管の説明図。
【符号の説明】
２  ペデスタル
２ａ  圧力容器を支える構築物
３  壁面
４  計装設備
５  案内管
６  メッセンジャーワイヤ
７  支持金具
８  連結部材
９  ワイヤー端部金具
１０  固定部
１１  支持部
１２  蝶ねじ
１３  貫通部
１４  固定部材
１５  支持溝
１６  蝶ねじ
１７  押え板
１７ａ  ピン
１８  プラットフォーム
１９  手摺
２０  本体
２１  金属パイプ
２２  連結部
２３  挿通部
２４  固定部材
２５  固定管
２６  コマ
２７  押さえ金具
２８  支持体
３０  アジャストファスナー
３１  掛合部
３２  軸支部
３３  操作レバー
３４  アーム
３５  掛合環
【図１】
0003932507.tif 000002
【図２】
0003932507.tif 000003
【図３】
0003932507.tif 000004
【図４】
0003932507.tif 000005
【図５】
0003932507.tif 000006
【図６】
0003932507.tif 000007
【図７】
0003932507.tif 000008
【図８】
0003932507.tif 000009